(57)【要約】【課題】充電器の短絡を防止する。【解決手段】充電システム１は、充電対象機器２と充電器３を備える。充電対象機器２は、充電対象機器２の筐体の外壁面２３より前記充電対象機器２の機器内部側に露出して配置された受電端子２１を備える。充電器３は、充電端子３３と、充電回路と、充電回路による電力供給を停止するボタン式スイッチ４９を備える。ボタン式スイッチ４９は、充電端子３３が充電対象機器２の外壁面２３と接触することにより、充電回路からの電力供給を停止させる。【選択図】図１２
2014068454.tif 000002
【特許請求の範囲】
【請求項１】
充電対象機器に充電するための電力を供給する充電回路と、前記充電回路に接続する充電端子と、前記充電回路から前記充電対象機器への電力供給を停止する停止手段と、を備え、
前記停止手段は、前記充電端子と、前記充電端子と接触し電力供給を受ける受電端子を前記充電対象機器の筐体の外壁面より前記充電対象機器の機器内部側に露出して配置された前記充電対象機器の筐体の外壁面とが接触することにより、電力供給を停止する、
ことを特徴とする充電器。
【請求項２】
前記停止手段が、前記充電回路と前記充電端子との間に設けられたスイッチである、
ことを特徴とする請求項１に記載の充電器。
【請求項３】
前記充電対象機器を装着する装着部と、
前記充電対象機器が前記装着部に装着されたことを検知する検知部と、
前記検知部の動作に連動して、前記充電端子を突出させる突出機構と、
を備えることを特徴とする請求項１又は２に記載の充電器。
【請求項４】
前記検知部は、前記装着部に突出し前記充電対象機器の装着により押下されるボタンと、前記ボタンの前記充電対象機器に押下される面に対向する面に設けられ、前記ボタンの押下により押し下がるボタンリブと、を備え、
前記ボタンリブは、押下される方向に傾斜した傾斜面を有し、
前記突出機構は、凹状に形成されたボタン側ホルダと、前記充電端子を有し前記ボタン側ホルダと結合した端子側ホルダと、を備え、
前記ボタン側ホルダは、凹形状の内面が前記ボタンリブの傾斜面と接触するよう配置され、前記ボタンリブが押し下がることにより、前記ボタンリブの傾斜面に沿って移動し、前記ボタン側ホルダに結合した前記端子側ホルダの前記充電端子が前記充電器の筐体から突出する、
ことを特徴とする請求項３に記載の充電器。
【請求項５】
請求項１乃至４のいずれか１項に記載の充電器と、
前記充電端子と接触し電力供給を受ける受電端子を筐体の外壁面より機器内部側に露出して配置された充電対象機器と、
を備えることを特徴とする充電システム。
【請求項６】
充電端子と接触し電力供給を受ける受電端子を備え、前記受電端子は筐体の外壁面より機器内部側に露出して配置され、
前記筐体の外壁面が前記充電端子と接触することにより、前記充電端子と、前記充電端子と接続し充電対象機器に充電するための電力を供給する充電回路と、前記充電回路から前記充電対象機器への電源供給を停止する停止手段と、を備えた充電器からの電力供給を停止する、
ことを特徴とする充電対象機器。
【請求項７】
充電端子と接触し電源供給を受ける受電端子が筐体の外壁面より機器内部側に露出して配置された充電対象機器の前記筐体の外壁面が、前記充電端子と、前記充電端子と接続し前記充電対象機器に充電するための電力を供給する充電回路と、前記充電回路から前記充電対象機器への電力供給を停止する停止手段と、を備えた充電器の前記充電端子と接触する工程、
前記接触により前記充電対象機器の筐体の外壁面が、前記充電端子を前記充電器内に押し込む工程、
前記充電端子の一部が所定位置に達した場合、前記充電対象機器への電力供給が停止する工程、
を備えることを特徴とする充電方法。
【請求項８】
前記電力供給が停止する工程は、
前記充電端子の一部が、前記充電回路と前記充電端子との間に設けられたスイッチを動作させる工程である、
ことを特徴とする請求項７に記載の充電方法。
【発明の詳細な説明】
【技術分野】
【０００１】
本発明は充電システム、充電器、充電対象機器および充電方法に関する。
【背景技術】
【０００２】
近年、高機能な電子機器が携帯端末として使用されている。これらの電子機器は二次電池を備える。この二次電池を充電するために、充電対象の電子機器（充電対象機器）に設けられた受電端子と充電器に設けられた充電端子の接触により、二次電池を充電する充電システムが用いられる。
【０００３】
特許文献１に記載の充電器においては、使用者が充電器に設けられたアクチュエータの突出部を押し込むように、電子機器の受電端子を充電器の開口部に臨ませて装着する。この装着により、充電器の充電端子が突出する。突出した充電端子が電子機器の受電端子に接触する。
【０００４】
特許文献２に記載の充電装置は、携帯機器が装着されたことを検知する装着検知部を備える。装着検知部を構成する２つの回転片は独立に支持される。給電端子は、回転片の回転により、充電装置から突出する。この給電端子の突出により、給電端子が、装着された携帯機器の受電端子と接触する。また、特許文献２には、回転片の回転に伴い充電装置の給電端子、携帯機器の受電端子に電源電圧が印加される技術が記載されている。
【先行技術文献】
【特許文献】
【０００５】
【特許文献１】特開２００５−１１７７００号公報
【特許文献２】特開２００３−００９４０９号公報
【発明の概要】
【発明が解決しようとする課題】
【０００６】
特許文献１に記載の充電器では、アクチュエータの突出部が押し込まれることによって充電器の充電端子が突出する。したがって、充電対象機器が充電器に誤った方向で装着されても、携帯機器への充電動作は継続する。充電対象機器が充電器に誤った方向で装着されるとは、充電対象機器の受電端子と充電器の充電端子が接触しない方向で装着されることをいう。すなわち、特許文献１に記載の充電器は、充電対象機器が充電器に誤った方向で装着された場合に、充電端子部分での短絡を防止できない。
【０００７】
特許文献２に記載の充電装置は、充電対象機器が装着されていない状態での短絡を防止できる。ただし、充電対象機器が充電器に誤った方向で装着されても、充電動作は継続する。すなわち、特許文献２に記載の充電装置も、充電対象機器が充電器に誤った方向で装着された場合に、充電端子部分での短絡を防止できない。また、回転片の回転に伴い電源電圧が印加される技術は、充電対象機器が充電器に正しい方向に装着されることを前提にしている。つまり、充電対象機器が充電器に誤った方向で装着されることは考慮されていない。充電対象機器が充電器に正しい方向に装着されるとは、充電対象機器の受電端子と充電器の充電端子が接触する方向に装着されることをいう。
【０００８】
本発明は上記を鑑みてなされたものであり、充電対象機器が充電器に誤った方向で装着されても、充電器の短絡を防止できる充電システム、充電器、充電対象機器および充電方法を提供することを目的とする。
【課題を解決するための手段】
【０００９】
本発明の第１の観点に係る充電器は、
充電対象機器に充電するための電力を供給する充電回路と、前記充電回路に接続する充電端子と、前記充電回路から前記充電対象機器への電力供給を停止する停止手段と、を備え、
前記停止手段は、前記充電端子と、前記充電端子と接触し電力供給を受ける受電端子を前記充電対象機器の筐体の外壁面より前記充電対象機器の機器内部側に露出して配置された前記充電対象機器の筐体の外壁面とが接触することにより、電力供給を停止する、
ことを特徴とする。
【００１０】
本発明の第２の観点に係る充電システムは、
前記第１の観点に係る充電器と、
前記充電端子と接触し電力供給を受ける受電端子を筐体の外壁面より機器内部側に露出して配置された充電対象機器と、
を備えることを特徴とする。
【００１１】
本発明の第３の観点に係る充電対象機器は、
充電端子と接触し電力供給を受ける受電端子を備え、前記受電端子は筐体の外壁面より機器内部側に露出して配置され、
前記筐体の外壁面が前記充電端子と接触することにより、前記充電端子と、前記充電端子と接続し充電対象機器に充電するための電力を供給する充電回路と、前記充電回路から前記充電対象機器への電源供給を停止する停止手段と、を備えた充電器からの電力供給を停止する、
ことを特徴とする。
【００１２】
本発明の第４の観点に係る充電方法は、
充電端子と接触し電源供給を受ける受電端子が筐体の外壁面より機器内部側に露出して配置された充電対象機器の前記筐体の外壁面が、前記充電端子と、前記充電端子と接続し前記充電対象機器に充電するための電力を供給する充電回路と、前記充電回路から前記充電対象機器への電力供給を停止する停止手段と、を備えた充電器の前記充電端子と接触する工程、
前記接触により前記充電対象機器の筐体の外壁面が、前記充電端子を前記充電器内に押し込む工程、
前記充電端子の一部が所定位置に達した場合、前記充電対象機器への電力供給が停止する工程、
を備えることを特徴とする。
【発明の効果】
【００１３】
本発明によれば、充電器の短絡を防止することができる。また、本発明によれば、充電器内で短絡を防止できるので、充電対象機器のデザインを損なわず、充電対象機器のデザイン性を向上できる。
【図面の簡単な説明】
【００１４】
【図１】（ａ）本発明の実施の形態１に係る充電システムを充電器の充電端子側から示す斜視図である。（ｂ）本発明の実施の形態１に係る充電システムを充電対象機器の受電端子側から示す斜視図である。
【図２】本発明の実施の形態１に係る充電器のブロック図である。
【図３】本発明の実施の形態１に係る充電システムの動作を示すフローチャート図である。
【図４】本発明の実施の形態１に係る充電対象機器の断面図である。
【図５】本発明の実施の形態１に係る充電器の充電端子の構成を示す模式図である。
【図６】（ａ）充電対象機器の外壁面に接触した本発明の実施の形態１に係る充電器の充電端子を示す模式図である。（ｂ）充電対象機器の受電端子に接触した本発明の実施の形態１に係る充電器の充電端子を示す模式図である。
【図７】（ａ）充電対象機器が充電器に装着されていない場合における本発明の実施の形態１に係る停止手段を示す模式図である。（ｂ）充電器の充電端子が所定の位置に達した場合における本発明の実施の形態１に係る停止手段を示す模式図である。
【図８】本発明の実施の形態２に係る充電器のブロック図である。
【図９】（ａ）充電対象機器の外壁面に接触した本発明の実施の形態２に係る充電器の充電端子を示す模式図である。（ｂ）充電対象機器の受電端子に接触した本発明の実施の形態２に係る充電器の充電端子を示す模式図である。
【図１０】本発明の実施の形態３に係る充電システムの斜視図である。
【図１１】（ａ）本発明の実施の形態３に係る充電器の突出機構の構成を示す模式図である。（ｂ）突出機構のボタンが押下された場合における本発明の実施の形態３に係る充電器の突出機構を示す模式図である。
【図１２】充電対象機器が充電器に誤った方向で装着された場合における本発明の実施の形態３に係る充電システムを示す模式図である。
【発明を実施するための形態】
【００１５】
（実施の形態１）
本発明の実施の形態１について、図面を参照して説明する。充電システム１は、図１に示すように、充電対象機器２と充電器３を備える。充電対象機器２は、筐体の外壁面より機器内部側に露出して配置された受電端子２１、２２を備える。ここでは、受電端子２１、２２が設けられた筐体の外壁面を外壁面２３、それ以外の外壁面を外壁面２４とする。また、受電端子２１、２２は、後述の充電端子３３、３４の端部３５、３６と接触する。この接触により、充電対象機器２は充電される。
【００１６】
充電器３は、上面に充電対象機器２を装着する装着部３１、上面方向に突出した側壁３２、充電端子３３、３４を備える。側壁３２は、充電端子３３、３４を収納する。また、充電端子３３、３４の端部３５、３６が側壁３２に設けられたスリット３７から突出している。充電端子３３、３４の端部３５、３６は、充電対象機器２の受電端子２１、２２と接触する。この接触により、充電対象機器２は充電される。さらに、充電器３は、内部に充電端子３３、３４に接続する充電回路３８と充電回路３８の電力供給を停止する停止手段３９を備える（図２）。
【００１７】
充電対象機器２は、使用者により充電器３に装着される。充電対象機器２が充電器３に誤った方向（以下では、外壁面２４に接触する方向とする）で装着された場合、充電端子３３、３４の端部３５、３６は充電対象機器２の外壁面２４の接触により押圧される。この押圧によって、充電端子３３、３４の端部３５、３６は側壁３２の内部にまで後退する。充電端子３３、３４の端部３５、３６が側壁３２の内部にまで後退した場合、停止手段３９は、充電端子３３、３４の動きにより、動作する。停止手段３９は充電回路３８の電力供給を停止する。この電力供給の停止により、本実施形態の充電システム１は、充電器３の短絡を防止できる（図３）。
【００１８】
また、充電対象機器２の筐体が導電性を有するシール等で装飾されている場合も、充電端子３３、３４の端部３５、３６は側壁３２の内部にまで後退するので、本実施形態の充電システム１は、充電器３の短絡を防止できる。
【００１９】
一方、充電対象機器２が充電器３に正しい方向で装着された場合、充電対象機器２の受電端子２１、２２が充電端子３３、３４の端部３５、３６に接触する。受電端子２１、２２は、充電対象機器２の外壁面２３より機器内部側に配置されているので、この接触による押圧は、充電対象機器２の外壁面２４が接触した場合に比べ小さい。そのため、充電端子３３、３４の端部３５、３６は側壁３２の内部にまでは後退しない。この場合、停止手段３９は、充電端子３３、３４の動きにより、動作しない。したがって、充電対象機器２は充電される（図３）。
【００２０】
充電対象機器２、充電器３の具体的な構成について説明する。
【００２１】
充電対象機器２の受電端子２１、２２は、充電対象機器２の筐体の外壁面２３より機器内部側に露出して配置される（図４）。すなわち、受電端子２１、２２は、充電対象機器２の外壁面２３、２４より充電対象機器２の機器内部側に位置している。また、受電端子２１、２２は、図示しない受電回路に接続される。受電端子２１、２２は、充電対象機器２が充電器３に正しい方向で装着された場合に、充電端子３３、３４の端部３５、３６と接触する。
【００２２】
充電器３の充電端子３３、３４は、図５に示すように、”コ”の字の形状である。充電端子３３、３４の端部３５、３６は充電器３の側壁３２に設けられたスリット３７から突出している。Ｖ字状に屈曲した充電端子３３、３４の端部３５、３６は、Ｖ字の先端部分で充電対象機器２の受電端子２１、２２と接触する。また、充電端子３３、３４の他方の端部はねじりバネを形成する。さらに、充電端子３３、３４の他方の端部は充電回路３８に接続する。ねじりバネのコイル部分は支持部材４１によって支持される。したがって、充電端子３３、３４の端部３５、３６が側壁３２方向へ押圧された場合、充電端子３３、３４は側壁３２の内部で撓む。
【００２３】
充電対象機器２が充電器３に誤った方向で装着された場合、充電端子３３、３４の端部３５、３６が充電対象機器２の外壁面２４の接触により押圧される。そして、充電対象機器２の外壁面２４は充電器３の側壁３２のスリット３７を塞ぐ状態となる。その結果、充電端子３３、３４の端部３５、３６は側壁３２の内部にまで後退する。充電端子３３、３４の他方の端部はねじりバネを形成しているので、充電端子３３、３４は撓む。この撓みにより、充電端子３３、３４の一部（例えば、充電端子３３、３４の折れ曲がり部分）４２、４３は側壁３２の内部で後退する（図６（ａ））。
【００２４】
一方、充電対象機器２が充電器３に正しい方向で装着された場合、充電端子３３、３４の端部３５、３６が充電対象機器２の受電端子２１、２２に接触する。受電端子２１、２２は充電対象機器２の外壁面２３より充電対象機器２の機器内部側に位置しているので、受電端子２１、２２は充電器３の側壁３２のスリット３７を塞ぐ状態とはならない。その結果、充電端子３３、３４の端部３５、３６は、側壁３２の内部にまで後退しない。すなわち、図６（ｂ）に示すように、充電端子３３、３４の一部４２、４３は、充電対象機器２の外壁面２４による押圧の場合ほど後退しない。
【００２５】
上述した充電端子３３、３４の一部４２、４３が後退する位置の差異により、停止手段３９の動作が選択される。
【００２６】
充電器３の停止手段３９は、半導体レーザ発信器４４と半導体レーザ発信器４４で発信されるレーザ光４５に対応した受光センサ４６を備える。受光センサ４６は、充電器３に充電対象機器２が装着されていない状態では、レーザ光４５を受光している（図７（ａ））。受光センサ４６は、レーザ光４５を受光しない場合、充電回路３８に信号を送信する。
【００２７】
半導体レーザ発信器４４、受光センサ４６は、充電端子３３の端部３５が側壁３２の内部にまで後退した場合に、後退した充電端子３３の一部４２がレーザ光４５を遮蔽するように、配置される。以下では、充電端子３３、３４の端部３５、３６が側壁３２の内部にまで後退した場合に、後退した充電端子３３、３４の一部４２、４３が達する位置を、所定の位置１００とする。すなわち、半導体レーザ発信器４４、受光センサ４６は、充電端子３３の一部４２が所定の位置１００に達した場合に、受光センサ４６がレーザ光４５を受光しないよう配置される（図７（ｂ））。
【００２８】
上述のように、充電端子３３、３４の端部３５、３６が充電対象機器２の外壁面２４の接触により押圧された場合、充電端子３３、３４の端部３５、３６は側壁３２の内部にまで後退する。これにより、充電端子３３の一部４２が所定の位置１００に達し、充電端子３３の一部４２はレーザ光４５を遮蔽する。レーザ光４５が遮蔽されたことを検出した受光センサ４６は、充電回路３８に信号を送信する。受光センサ４６から信号を受けた充電回路３８は電力供給を停止する。
【００２９】
一方、充電端子３３、３４の端部３５、３６が充電対象機器２の受電端子２１、２２に押圧された場合、その押圧は、充電対象機器２の外壁面２４が接触した場合に比べ小さい。そのため、充電端子３３の一部４２は所定の位置１００に達しない。したがって、充電端子３３の一部４２はレーザ光４５を遮蔽しない。よって、充電対象機器２は充電される。
【００３０】
以上の構成によれば、充電対象機器２が充電器３に誤った方向で装着された場合、充電器３の短絡を防止できる。
【００３１】
本実施の形態では、充電対象機器２として携帯電話機を例示しているが、本発明はこれに限定されない。ノート型パーソナルコンピュータ、タブレット型パーソナルコンピュータ、ＰＤＡ（Ｐｅｒｓｏｎａｌ  Ｄａｔａ  Ａｓｓｉｓｔａｎｔｓ）、ゲーム機、電子辞書等、充電を要する各種機器のすべてに適用できる。また、停止手段３９は充電端子３３、３４のどちらに配置されても構わない。停止手段３９は、充電端子３３、３４の両方に配置できる。なお、以下の実施の形態についても同様である。
【００３２】
（実施の形態２）
本発明の実施の形態２について、図面を参照して説明する。ここでは、充電器３の停止手段３９について説明する。その他の構成については、実施の形態１と同様である。
【００３３】
充電器３は充電端子３３と充電回路３８の間に停止手段３９を備える。具体的には、停止手段３９はノーマリーオン型のボタン式スイッチ４９である（図８）。ボタン式スイッチ４９は、ボタン部分５０が押下されていない状態で電気的にオン状態、押下された状態で電気的にオフ状態となる。ボタン式スイッチ４９のボタン部分５０が充電端子３３における所定の位置１００に配置される。
【００３４】
充電対象機器２が充電器３に誤った方向で装着された場合、実施の形態１と同様に、充電端子３３、３４の端部３５、３６は側壁３２の内部にまで後退する。そして、充電端子３３、３４の一部４２、４３が所定の位置１００に達する。所定の位置１００に達した充電端子３３の一部４２が、ボタン式スイッチ４９のボタン部分５０を押下する（図９（ａ））。ボタン式スイッチ４９は電気的にオフ状態となる。これにより、充電回路３８からの電力供給は停止するので、本実施形態の充電システム１は、充電器３の短絡を防止できる。
【００３５】
充電対象機器２が充電器３に正しい方向で装着された場合、充電端子３３、３４の端部３５、３６は充電対象機器２の受電端子２１、２２に接触する。受電端子２１、２２は充電対象機器２の外壁面２３より充電対象機器２の機器内部側に位置しているため、充電端子３３、３４の端部３５、３６は側壁３２の内部にまでは後退しない。そのため、充電端子３３の一部４２は所定の位置１００に達しない（図９（ｂ））。したがって、ボタン式スイッチ４９のボタン部分５０は押下されない。よって、充電対象機器２は充電される。
【００３６】
また、充電端子３３が停止手段３９の一部を構成してもよい。例えば、充電端子３３はその一部４２に絶縁体を備える。また、充電回路３８と充電端子３３の間に接点が設けられる。この接点は所定の位置１００に配置される。充電対象機器２の外壁面２４が充電端子３３の端部３５を押圧したことにより充電端子３３が撓む。充電端子３３が撓むことにより、充電端子３３の一部４２に装着された絶縁体が所定の位置１００に達する。そして、充電端子３３の一部４２に装着された絶縁体が、接点を切り離す。これにより、充電回路３８からの電力供給が停止する。この構成によれば、充電器３の部品数を削減できる。
【００３７】
（実施の形態３）
本発明の実施の形態３について、図面を参照して説明する。本実施の形態において、充電器３は検知部６０（図示せず）と突出機構６１（図示せず）を備える。検知部６０は、充電対象機器２が充電器３に装着されたことを検知する。また、突出機構６１は、検知部６０が充電対象機器２の装着を検知した場合、充電端子３３、３４の端部３５、３６をスリット３７から突出させる。ここでは、これらの点について説明する。その他の構成については、実施の形態２と同様である。
【００３８】
充電器３は、上面に充電対象機器２を装着する装着部３１、上面方向に突出した側壁３２を備える。また、スリット３７が側壁３２に設けられる。側壁３２は、充電端子３３、３４を収納する。収納されていた充電端子３３、３４の端部３５、３６は、スリット３７から突出する。さらに、図１０に示すように、ボタン穴６２が、装着部３１の側壁３２の反対側に設けられる。ボタン穴６２から、後述する検知部６０のボタン６３の一部が突出している。
【００３９】
図１０におけるＢ−Ｂ断面の概略を図１１に示す。装着部３１は下面に充電器３の下面に向けて延びた突出部６４を備える。また、突出部６４は、後述する連結部７４が通る貫通部６７（図示せず）を備える。
【００４０】
検知部６０はボタン６３とボタンリブ６９を備える。ボタン６３の一部はボタン穴６２から装着部３１に突出している。装着部３１から突出したボタン６３の一部は、充電対象機器２の装着により、押下される。ボタンリブ６９は、ボタン６３の充電対象機器２に押下される面に対向する面（ボタン６３の下面）に一体に設けられる。したがって、充電対象機器２の装着によりボタン６３が押下された場合、ボタン６３と一体化したボタンリブ６９も押し下がる。また、ボタンリブ６９は、押下される方向に傾斜した傾斜面７０を備える。傾斜面７０は、後述するボタン側ホルダ７２の凹状の内壁面に接する。
【００４１】
突出機構６１は、ボタン側ホルダ７２、ボタン側ホルダ７２と結合した端子側ホルダ７３を備える。ボタン側ホルダ７２は凹状に形成される。ボタン側ホルダ７２は、凹状の内壁面がボタンリブの傾斜面７０と接するよう配置される。ボタン側ホルダ７２は、その凹状の内壁面でボタンリブの傾斜面７０と接しているので、ボタン側ホルダ７２は、ボタンリブ６９が押し下がることにより、ボタンリブの傾斜面７０に沿ってボタン６３の方向に移動する。さらに、ボタン側ホルダ７２と結合した端子側ホルダ７３も、ボタン６３の方向に移動する。端子側ホルダ７３は、連結部７４を介してボタン側ホルダと結合する。連結部７４は、突出部６４の貫通部６７を通り、ボタン側ホルダ７２と端子側ホルダ７３を結合する。また、端子側ホルダ７３は、充電端子３３、３４、支持部材４１、ボタン式スイッチ４９を備える。さらに、端子側ホルダ７３は、ボタン６３の反対側にあたる側壁３２側に、充電対象機器２が装着されていない状態では充電端子３３、３４の端部３５、３６がスリット３７から突出しないように、配置される。
【００４２】
充電器３に充電対象機器２が装着された場合、ボタン６３が押下される。これにより、ボタン６３と一体化したボタンリブ６９も押し下がる。ボタンリブの傾斜面７０はボタン側ホルダ７２の内壁面に接しているので、ボタンリブ６９が押し下がることにより、ボタン側ホルダ７２及び端子側ホルダ７３がボタン６３の方向に移動する。その結果、端子側ホルダ７３に備えられた充電端子３３、３４の端部３５、３６が、側壁３２のスリット３７から突出する（図１１（ｂ））。
【００４３】
なお、コイルバネ７５が装着部３１の突出部６４と端子側ホルダ７３の間に設けられてもよい。コイルバネ７５は、その径内を連結部７４が通り、一端は装着部３１の突出部６４で、他端は端子側ホルダ７３に固定される（図１１（ｂ））。充電対象機器２の装着により、端子側ホルダ７３が移動した場合、コイルバネ７５は縮む。そして、使用者が充電対象機器２を充電器３から離脱させた場合、コイルバネ７５の弾性により、ボタン側ホルダ７２及び端子側ホルダ７３、検知部６０は充電対象機器２の装着前の状態に復帰する。
【００４４】
使用者により、充電対象機器２が充電器３に誤った方向で装着された場合、突出機構６１が動作する。しかし、充電対象機器２の外壁面２４がスリット３７を塞ぐため、充電端子３３、３４の端部３５、３６は、外壁面２４に接触しスリット３７から突出できない。これにより、充電端子３３、３４は側壁３２の内部方向に撓む。その結果、図１２に示すように、充電端子３３の一部４２が所定の位置１００に達する。充電端子３３の一部４２はボタン式スイッチのボタン部分５０を押下する。ボタン式スイッチ４９が電気的にオフ状態となるので、充電回路３８による電力供給は停止する。したがって、本実施形態の充電システム１は、充電器３の短絡を防止できる。
【００４５】
充電対象機器２が充電器３に正しい方向で装着された場合、突出機構６１が動作する。受電端子２１、２２は充電対象機器２の外壁面２３より充電対象機器２の機器内部側に位置しているため、充電端子３３、３４の端部３５、３６が側壁３２のスリット３７から突出する。そして、充電端子３３、３４の端部３５、３６は充電対象機器２の受電端子２１、２２に接触する。この接触による押圧は、充電対象機器２の外壁面２４が接触した場合に比べ小さいので、充電端子３３、３４の撓みも小さい。そのため、充電端子３３の一部４２は所定の位置１００に達しない。ボタン式スイッチ４９は電気的にオン状態のままになるので、充電対象機器２は充電される。
【００４６】
以上、本発明の実施の形態を説明したが、本発明は上記の実施の形態に限定されず、種々の変形および応用が可能である。
【００４７】
上記の実施の形態の一部又は全部は、以下の付記のようにも記載されうるが、以下に限定されない。
【００４８】
（付記１）
充電対象機器に充電するための電力を供給する充電回路と、前記充電回路に接続する充電端子と、前記充電回路から前記充電対象機器への電力供給を停止する停止手段と、を備え、
前記停止手段は、前記充電端子と、前記充電端子と接触し電力供給を受ける受電端子を前記充電対象機器の筐体の外壁面より前記充電対象機器の機器内部側に露出して配置された前記充電対象機器の筐体の外壁面とが接触することにより、電力供給を停止する、
ことを特徴とする充電器。
【００４９】
（付記２）
前記停止手段が、前記充電回路と前記充電端子との間に設けられたスイッチである、
ことを特徴とする付記１に記載の充電器。
【００５０】
（付記３）
前記充電対象機器を装着する装着部と、
前記充電対象機器が前記装着部に装着されたことを検知する検知部と、
前記検知部の動作に連動して、前記充電端子を突出させる突出機構と、
を備えることを特徴とする付記１又は２に記載の充電器。
【００５１】
（付記４）
前記検知部は、前記装着部に突出し前記充電対象機器の装着により押下されるボタンと、前記ボタンの前記充電対象機器に押下される面に対向する面に設けられ、前記ボタンの押下により押し下がるボタンリブと、を備え、
前記ボタンリブは、押下される方向に傾斜した傾斜面を有し、
前記突出機構は、凹状に形成されたボタン側ホルダと、前記充電端子を有し前記ボタン側ホルダと結合した端子側ホルダと、を備え、
前記ボタン側ホルダは、凹形状の内面が前記ボタンリブの傾斜面と接触するよう配置され、前記ボタンリブが押し下がることにより、前記ボタンリブの傾斜面に沿って移動し、前記ボタン側ホルダに結合した前記端子側ホルダの前記充電端子が前記充電器の筐体から突出する、
ことを特徴とする付記３に記載の充電器。
【００５２】
（付記５）
付記１乃至４のいずれか一つに記載の充電器と、
前記充電端子と接触し電力供給を受ける受電端子を筐体の外壁面より機器内部側に露出して配置された充電対象機器と、
を備えることを特徴とする充電システム。
【００５３】
（付記６）
充電端子と接触し電力供給を受ける受電端子を備え、前記受電端子は筐体の外壁面より機器内部側に露出して配置され、
前記筐体の外壁面が前記充電端子と接触することにより、前記充電端子と、前記充電端子と接続し充電対象機器に充電するための電力を供給する充電回路と、前記充電回路から前記充電対象機器への電源供給を停止する停止手段と、を備えた充電器からの電力供給を停止する、
ことを特徴とする充電対象機器。
【００５４】
（付記７）
充電端子と接触し電源供給を受ける受電端子が筐体の外壁面より機器内部側に露出して配置された充電対象機器の前記筐体の外壁面が、前記充電端子と、前記充電端子と接続し前記充電対象機器に充電するための電力を供給する充電回路と、前記充電回路から前記充電対象機器への電力供給を停止する停止手段と、を備えた充電器の前記充電端子と接触する工程、
前記接触により前記充電対象機器の筐体の外壁面が、前記充電端子を前記充電器内に押し込む工程、
前記充電端子の一部が所定位置に達した場合、前記充電対象機器への電力供給が停止する工程、
を備えることを特徴とする充電方法。
【００５５】
（付記８）
前記電力供給が停止する工程は、
前記充電端子の一部が、前記充電回路と前記充電端子との間に設けられたスイッチを動作させる工程である、
ことを特徴とする付記７に記載の充電方法。
【符号の説明】
【００５６】
１                        充電システム
２                        充電対象機器
３                        充電器
２１                      受電端子
２２                      受電端子
２３                      充電対象機器の筐体の外壁面
２４                      充電対象機器の筐体の外壁面
３１                      装着部
３２                      側壁
３３                      充電端子
３４                      充電端子
３５                      充電端子の端部
３６                      充電端子の端部
３７                      スリット
３８                      充電回路
３９                      停止手段
４１                      支持部材
４２                      充電端子の一部
４３                      充電端子の一部
４４                      半導体レーザ発信器
４５                      レーザ光
４６                      受光センサ
４９                      ボタン式スイッチ
５０                      ボタン式スイッチのボタン部分
６０                      検知部
６１                      突出機構
６２                      ボタン穴
６３                      ボタン
６４                      突出部
６７                      突出部の貫通部
６９                      ボタンリブ
７０                      ボタンリブの傾斜面
７２                      ボタン側ホルダ
７３                      端子側ホルダ
７４                      連結部
７５                      コイルバネ
１００                    所定の位置
【図１】
2014068454.tif 000003
【図２】
2014068454.tif 000004
【図３】
2014068454.tif 000005
【図４】
2014068454.tif 000006
【図５】
2014068454.tif 000007
【図６】
2014068454.tif 000008
【図７】
2014068454.tif 000009
【図８】
2014068454.tif 000010
【図９】
2014068454.tif 000011
【図１０】
2014068454.tif 000012
【図１１】
2014068454.tif 000013
【図１２】
2014068454.tif 000014